(57)【要約】【課題】  特定の装置のみに利用権情報を流通させることができる利用権流通システムを提供する。【解決手段】  コンテンツ再生システムは、利用者によって携帯されるＩＣＣ２０と、コンテンツを再生する利用機器４０とを備えている。ＩＣＣ２０は利用者ＰＦと利用権情報を記憶している。利用機器４０は、再生部と、機器ＰＦと利用権情報を記憶するＳＣ４２と、移動条件情報を含む利用権情報を移動させる制御部４３とを有している。再生部はＩＣＣ２０とＳＣ４２の少なくとも一方に記憶された利用権情報に基づいてコンテンツを再生する。制御部４３は、利用機器４０のＳＣ４２からＩＣＣ２０への利用権情報の移動を、ＩＣＣ２０に記憶された利用者ＰＦおよびＳＣ４２に記憶された機器ＰＦと、ＳＣ４２に記憶された移動条件情報とに基づいて行う。【選択図】  図４
2005222363.tif 000002
【特許請求の範囲】
【請求項１】
利用者によって携帯される携帯装置と、サービスを実行するサービス実行手段を有するサービス実行装置と、前記サービスの利用権の情報である利用権情報を移動させる利用権移動手段を有する利用権移動装置とを備え、
前記利用権情報は、前記利用権情報自身の移動条件の情報である移動条件情報を含み、
前記携帯装置は、前記利用者の属性情報である利用者属性情報を記憶する利用者属性記憶手段と、前記利用権情報を記憶する利用権記憶手段とを有し、
前記サービス実行装置は、前記サービス実行装置自身の属性情報である装置属性情報を記憶する装置属性記憶手段と、前記利用権情報を記憶する利用権記憶手段とを有し、
前記サービス実行手段は、前記携帯装置の前記利用権記憶手段と前記サービス実行装置の前記利用権記憶手段の少なくとも一方に記憶された前記利用権情報に基づいて前記サービスを実行し、
前記利用権移動手段は、前記携帯装置の前記利用権記憶手段から前記サービス実行装置の前記利用権記憶手段への前記利用権情報の移動と、前記サービス実行装置の前記利用権記憶手段から前記携帯装置の前記利用権記憶手段への前記利用権情報の移動との少なくとも一方を行うときに、前記利用者属性記憶手段に記憶された前記利用者属性情報と前記装置属性記憶手段に記憶された前記装置属性情報の少なくとも一方と、前記利用権記憶手段に記憶された前記移動条件情報とに基づいて行う
利用権流通システム。
【請求項２】
利用者によって携帯され、前記利用者の属性情報である利用者属性情報を記憶する利用者属性記憶手段と、サービスの利用権の情報である利用権情報であって、該利用権情報自身の移動条件の情報である移動条件情報を含む利用権情報を記憶する利用権記憶手段とを有する携帯装置。
【請求項３】
サービスを実行するサービス実行装置であって、
該サービス実行装置自身の属性情報である装置属性情報を記憶する装置属性記憶手段と、
サービスの利用権の情報である利用権情報であって、該利用権情報自身の移動条件の情報である移動条件情報を含む利用権情報を記憶する利用権記憶手段と、
前記利用権記憶手段と、携帯装置の、前記利用権情報を記憶する利用権記憶手段の少なくとも一方に記憶された前記利用権情報に基づいてサービスを実行するサービス実行手段を
有するサービス実行装置。
【請求項４】
サービスの利用権の情報である利用権情報であって、該利用権情報自身の移動条件である移動条件情報を含む利用権情報を移動させる利用権移動装置であって、
携帯装置の、サービスの利用権の情報である利用権情報であって、該利用権情報自身の移動条件の情報である移動条件情報を含む利用権情報を記憶する利用権記憶手段から、サービス実行装置の、サービスの利用権の情報である利用権情報であって、該利用権情報自身の移動条件の情報である移動条件情報を含む利用権情報を記憶する利用権記憶手段への前記利用権情報の移動と、前記サービス実行装置の前記利用権記憶手段から前記携帯装置の前記利用権記憶手段への前記利用権情報の移動との少なくとも一方を行うときに、前記携帯装置の、利用者の属性情報である利用者属性情報を記憶する利用者属性記憶手段に記憶された前記利用者属性情報と前記サービス実行装置の、該サービス実行装置自身の属性情報である装置属性情報を記憶する装置属性記憶手段に記憶された前記装置属性情報の少なくとも一方と、前記利用権記憶手段に記憶された前記移動条件情報とに基づいて行う
利用権移動装置。
【請求項５】
利用者によって携帯される携帯装置と、サービスを実行するサービス実行手段を有するサービス実行装置と、前記サービスの利用権の情報である利用権情報を複製する利用権複製手段を有する利用権複製装置とを備え、
前記利用権情報は、前記利用権情報自身の複製条件の情報である複製条件情報を含み、
前記携帯装置は、前記利用者の属性情報である利用者属性情報を記憶する利用者属性記憶手段と、前記利用権情報を記憶する利用権記憶手段とを有し、
前記サービス実行装置は、前記サービス実行装置自身の属性情報である装置属性情報を記憶する装置属性記憶手段と、前記利用権情報を記憶する利用権記憶手段とを有し、
前記サービス実行手段は、前記携帯装置の前記利用権記憶手段と前記サービス実行装置の前記利用権記憶手段の少なくとも一方に記憶された前記利用権情報に基づいて前記サービスを実行し、
前記利用権複製手段は、前記携帯装置の前記利用権記憶手段から前記サービス実行装置の前記利用権記憶手段への前記利用権情報の複製と、前記サービス実行装置の前記利用権記憶手段から前記携帯装置の前記利用権記憶手段への前記利用権情報の複製との少なくとも一方を行うときに、前記利用者属性記憶手段に記憶された前記利用者属性情報と前記装置属性記憶手段に記憶された前記装置属性情報の少なくとも一方と、前記利用権記憶手段に記憶された前記複製条件情報とに基づいて行う、
利用権流通システム。
【請求項６】
利用者によって携帯され、前記利用者の属性情報である利用者属性情報を記憶する利用者属性記憶手段と、サービスの利用権の情報である利用権情報であって、該利用権情報自身の複製条件の情報である複製条件情報を含む利用権情報を記憶する利用権記憶手段とを有する携帯装置。
【請求項７】
サービスを実行するサービス実行装置であって、
該サービス実行装置自身の属性情報である装置属性情報を記憶する装置属性記憶手段と、
サービスの利用権の情報である利用権情報であって、該利用権情報自身の複製条件の情報である複製条件情報を含む利用権情報を記憶する利用権記憶手段と、
前記利用権記憶手段と、携帯装置の、前記利用権情報を記憶する利用権記憶手段の少なくとも一方に記憶された前記利用権情報に基づいてサービスを実行するサービス実行手段を
有するサービス実行装置。
【請求項８】
サービスの利用権の情報である利用権情報であって、該利用権情報自身の複製条件の情報である複製条件情報を含む利用権情報を複製する利用権複製装置であって、
携帯装置の、サービスの利用権の情報である利用権情報であって、該利用権情報自身の複製条件の情報である複製条件情報を含む利用権情報を記憶する利用権記憶手段から、サービス実行装置の、サービスの利用権の情報である利用権情報であって、該利用権情報自身の複製条件の情報である複製条件情報を含む利用権情報を記憶する利用権記憶手段への前記利用権情報の複製と、前記サービス実行装置の前記利用権記憶手段から前記携帯装置の前記利用権記憶手段への前記利用権情報の複製との少なくとも一方を行うときに、前記携帯装置の、利用者の属性情報である利用者属性情報を記憶する利用者属性記憶手段に記憶された前記利用者属性情報と前記サービス実行装置の、該サービス実行装置自身の属性情報である装置属性情報を記憶する装置属性記憶手段に記憶された前記装置属性情報の少なくとも一方と、前記利用権記憶手段に記憶された前記複製条件情報とに基づいて行う
利用権複製装置。
【請求項９】
サービスの利用権の情報である利用権情報の譲渡元装置から、前記利用権情報の譲渡先装置までの前記利用権情報の譲渡を制御する譲渡制御装置であって、
譲渡先の識別情報である譲渡先識別情報を取得する譲渡先情報取得手段と、
前記サービスの識別情報であるサービス識別情報を取得するサービス情報取得手段と、
前記サービス情報取得手段によって前記譲渡元装置から取得された前記サービス識別情報に対応する前記利用権情報を前記譲渡元装置から取得する利用権取得手段と、
前記利用権取得手段によって取得された前記利用権情報内の所定の情報を前記譲渡先情報取得手段によって前記譲渡元装置から取得された前記譲渡先識別情報および前記サービス情報取得手段によって前記譲渡元装置から取得された前記サービス識別情報に対応付けて記憶する所定情報記憶手段と、
前記譲渡先情報取得手段によって前記譲渡先装置から取得された前記譲渡先識別情報および前記サービス情報取得手段によって前記譲渡先装置から取得された前記サービス識別情報に基づいて前記所定情報記憶手段から前記所定の情報を取得する所定情報取得手段と、
前記所定情報取得手段によって取得された前記所定の情報に基づいて前記利用権情報を作成する利用権作成手段と、
前記利用権作成手段によって作成された前記利用権情報を前記譲渡先装置に出力する利用権出力手段と
を有する譲渡制御装置。
【請求項１０】
前記利用権情報は、前記利用権情報自身の複製が存在するか否かを表す複製存在情報を含み、前記利用権取得手段によって取得された前記利用権情報内の前記複製存在情報に応じて前記譲渡元装置から前記譲渡先装置までの前記利用権情報の譲渡を制御する、請求項９に記載の譲渡制御装置。
【発明の詳細な説明】
【技術分野】
【０００１】
本発明は、利用権情報を流通させる利用権流通システムに関する。
【背景技術】
【０００２】
従来、利用権流通システムとして、コンテンツを再生するための利用権としての電子チケットを任意のコンテンツ再生装置に移動することができ、任意のコンテンツ再生装置でコンテンツを再生することができるものが知られている（例えば、特許文献１参照。）。
【特許文献１】特開２００３−２４２２８２号公報（第７頁、第３図）
【発明の開示】
【発明が解決しようとする課題】
【０００３】
しかしながら、上述した従来の利用権流通システムにおいては、不特定のコンテンツ再生装置に電子チケットが移動され得るという問題があった。
【０００４】
本発明は、従来の問題を解決するためになされたもので、その目的は、特定の装置のみに利用権情報を流通させることができる利用権流通システム、携帯装置、サービス実行装置、利用権移動装置、利用権複製装置、および譲渡制御装置を提供することにある。
【課題を解決するための手段】
【０００５】
本発明の第１の態様によれば、利用権流通システムは、利用者によって携帯される携帯装置と、サービスを実行するサービス実行手段を有するサービス実行装置と、前記サービスの利用権の情報である利用権情報を移動する利用権移動手段を有する利用権移動装置とを備えている。利用権情報は、利用権情報自身の移動条件の情報である移動条件情報を含んでいる。携帯装置は、利用者の属性情報である利用者属性情報を記憶する利用者属性記憶手段と、利用権情報を記憶する利用権記憶手段とを有している。サービス実行装置は、サービス実行装置自身の属性情報である装置属性情報を記憶する装置属性記憶手段と、利用権情報を記憶する利用権記憶手段とを有し、サービス実行手段は、携帯装置の前記利用権記憶手段と前記サービス実行装置の利用権記憶手段の少なくとも一方に記憶された利用権情報に基づいてサービスを実行する。利用権移動手段は、携帯装置の利用権記憶手段からサービス実行装置の利用権記憶手段への利用権情報の移動と、サービス実行装置の利用権記憶手段から携帯装置の利用権記憶手段への利用権情報の移動との少なくとも一方を行うときに、利用者属性記憶手段に記憶された利用者属性情報と装置属性記憶手段に記憶された装置属性情報の少なくとも一方と、利用権記憶手段に記憶された前記移動条件情報とに基づいて行う。
【０００６】
この構成により、本発明の利用権流通システムは、移動条件情報に基づいて利用権情報を移動させるので、移動条件情報に基づいた特定の携帯装置またはサービス実行装置のみに利用権情報を流通させることができる。
【０００７】
また、本発明の第２の態様によれば、利用権流通システムは、利用者によって携帯される携帯装置と、サービスを実行するサービス実行手段を有するサービス実行装置と、サービスの利用権の情報である利用権情報を複製する利用権複製手段を有する利用権複製装置とを備えている。利用権情報は、利用権情報自身の複製条件の情報である複製条件情報を含む。携帯装置は、利用者の属性情報である利用者属性情報を記憶する利用者属性記憶手段と、利用権情報を記憶する利用権記憶手段とを有している。サービス実行装置は、サービス実行装置自身の属性情報である装置属性情報を記憶する装置属性記憶手段と、利用権情報を記憶する利用権記憶手段とを有し、サービス実行手段は、携帯装置の利用権記憶手段とサービス実行装置の利用権記憶手段の少なくとも一方に記憶された利用権情報に基づいてサービスを実行する。利用権複製手段は、携帯装置の利用権記憶手段からサービス実行装置の利用権記憶手段への利用権情報の複製と、サービス実行装置の利用権記憶手段から携帯装置の利用権記憶手段への利用権情報の複製との少なくとも一方を行うときに、利用者属性記憶手段に記憶された利用者属性情報と装置属性記憶手段に記憶された装置属性情報の少なくとも一方と、利用権記憶手段に記憶された前記複製条件情報とに基づいて行う。
【０００８】
この構成により、本発明の利用権流通システムは、複製条件情報に基づいて利用権情報を複製するので、複製条件情報に基づいた特定の携帯装置またはサービス実行装置のみに利用権情報を流通させることができる。
【０００９】
また、本発明の、サービスの利用権の情報である利用権情報の譲渡元装置から利用権情報の譲渡先装置までの利用権情報の譲渡を制御する譲渡制御装置は、譲渡先の識別情報である譲渡先識別情報を取得する譲渡先情報取得手段と、サービスの識別情報であるサービス識別情報を取得するサービス情報取得手段と、サービス情報取得手段によって譲渡元装置から取得されたサービス識別情報に対応する利用権情報を譲渡元装置から取得する利用権取得手段と、利用権取得手段によって取得された利用権情報内の所定の情報を譲渡先情報取得手段によって譲渡元装置から取得された譲渡先識別情報とサービス情報取得手段によって譲渡元装置から取得された前記サービス識別情報に対応付けて記憶する所定情報記憶手段と、譲渡先情報取得手段によって譲渡先装置から取得された譲渡先識別情報とサービス情報取得手段によって譲渡先装置から取得されたサービス識別情報に基づいて所定情報記憶手段から前記所定の情報を取得する所定情報取得手段と、所定情報取得手段によって取得された前記所定の情報に基づいて利用権情報を作成する利用権作成手段と、利用権作成手段によって作成された利用権情報を譲渡先装置に出力する利用権出力手段とを有している。
【００１０】
この構成により、本発明の譲渡制御装置は、譲渡先情報取得手段によって譲渡先識別情報が取得された譲渡先装置のみに利用権情報を譲渡するので、譲渡先情報取得手段によって譲渡先識別情報が取得された特定の譲渡先装置のみに利用権情報を流通させることができる。
【００１１】
また、本発明の譲渡制御装置は、利用権情報が、利用権情報自身の複製が存在するか否かを表す複製存在情報を含み、利用権取得手段によって取得された利用権情報内の複製存在情報に応じて譲渡元装置から譲渡先装置までの利用権情報の譲渡を制御する。
【００１２】
この構成により、本発明の譲渡制御装置は、利用権情報の複製が存在するときに利用権情報が譲渡されることを防止することができる。
【発明の効果】
【００１３】
本発明によれば、特定の装置のみに利用権情報を流通させることができる利用権流通システムを提供することができる。
【発明を実施するための最良の形態】
【００１４】
以下、本発明の実施の形態について、図面を用いて説明する。
【００１５】
まず、本実施の形態による利用権流通システムの構成について説明する。
【００１６】
なお、本実施の形態においては、全てのコンテンツが暗号化されている。
【００１７】
図１から図３までに示すように、本実施の形態による利用権流通システムとしてのコンテンツ再生システム１０は、利用者によって携帯される携帯装置としてのＩＣ（Ｉｎｔｅｇｒａｔｅｄ  Ｃｉｒｃｕｉｔ）カード（以下「ＩＣＣ」という。）２０と、コンテンツの再生というサービスを実行するサービス実行手段として再生部４１を有するサービス実行装置としての利用機器４０と、コンテンツの再生というサービスの利用権の情報である利用権情報を作成する利用権作成部６１を有するサーバ６０とを備えている。
【００１８】
ここで、利用権情報は、コンテンツの識別情報であるサービス識別情報としてのコンテンツＩＤと、利用権情報自身の所有者のＩＤ（以下「利用権所有者ＩＤ」という。）と、コンテンツを再生するために必要なコンテンツ復号鍵と、コンテンツの再生条件の情報である再生条件情報と、利用権情報自身の複製条件の情報である複製条件情報と、利用権情報自身の移動条件の情報である移動条件情報と、利用権情報自身の譲渡条件の情報である譲渡条件情報と、利用権情報自身の複製が存在するか否かを表す複製存在情報としての複製フラグとを含んでいる。ここで、利用権情報の複製とは、利用権情報の所有者を変更せずにもとの利用権情報と同じものを作成することであり、利用権情報の移動とは、利用権情報の所有者を変更せずに利用権情報を記憶する装置を変更することであり、利用権情報の譲渡とは、利用権情報の所有者を変更することである。なお、コンテンツ再生システム１０において、譲渡条件としては、例えば、譲渡可能という条件と、譲渡不可能という条件との２種類の条件が存在する。
【００１９】
また、ＩＣＣ２０は、利用者の属性情報である利用者属性情報として利用者プロファイル（以下「利用者ＰＦ」という。）および会員証情報を記憶する利用者属性記憶手段と、利用権作成部６１によって作成された利用権情報を記憶する利用権記憶手段とを構成している。ここで、利用者ＰＦには、例えば、利用者のＩＤ（以下「利用者ＩＤ」という。）や、利用者が所有する利用機器のＩＤのリスト（以下「所有機器リスト」という。）や、利用者の生年月日や、利用者の国籍などが含まれている。また、会員証情報とは、サーバ６０によって作成された情報であって、サーバ６０から利用権情報を入手するときなどに必要な情報である。
【００２０】
また、利用機器４０は、内蔵または外付けのＩＣＣリーダ・ライタを介してＩＣＣ２０などのＩＣＣと通信可能な状態になることができるようになっており、ネットワーク１１を介してサーバ６０と通信可能な状態になることができるようになっている。
【００２１】
また、利用機器４０は、利用機器４０自身の属性情報である装置属性情報としての機器プロファイル（以下「機器ＰＦ」という。）を記憶する装置属性記憶手段と、利用権作成部６１によって作成された利用権情報を記憶する利用権記憶手段とを構成するＩＣであるセキュアチップ（以下「ＳＣ」という。）４２を有している。ここで、機器ＰＦには、例えば、利用機器４０のＩＤ（以下「機器ＩＤ」という。）や、利用機器４０の所有者のＩＤのリストや、利用機器４０を製造した製造会社のＩＤや、利用機器４０の機種のＩＤなどが含まれている。
【００２２】
また、利用機器４０は、利用機器４０自身の主な制御を行う制御部４３を有している。ここで、制御部４３は、ＩＣＣ２０からＳＣ４２への利用権情報の移動と、ＳＣ４２からＩＣＣ２０への利用権情報の移動とを行うときに、ＩＣＣ２０に記憶された利用者ＰＦと、ＳＣ４２に記憶された機器ＰＦと、ＩＣＣ２０またはＳＣ４２に記憶された移動条件情報とに基づいて行う利用権移動手段を構成している。したがって、利用機器４０は利用権移動装置を構成している。また、制御部４３は、ＩＣＣ２０からＳＣ４２への利用権情報の複製と、ＳＣ４２からＩＣＣ２０への利用権情報の複製とを行うときに、ＩＣＣ２０に記憶された利用者ＰＦと、ＳＣ４２に記憶された機器ＰＦと、ＩＣＣ２０またはＳＣ４２に記憶された複製条件情報とに基づいて行う利用権複製手段を構成している。したがって、利用機器４０は利用権複製装置を構成している。
【００２３】
また、サーバ６０は、利用権情報の譲渡先の識別情報である譲渡先識別情報として利用者ＩＤを取得する譲渡先情報取得手段としての譲渡先ＩＤ取得部６２と、コンテンツＩＤを取得するサービス情報取得手段としてのコンテンツＩＤ取得部６３と、コンテンツＩＤ取得部６３によって譲渡元装置から取得されたコンテンツＩＤに対応する利用権情報を譲渡元装置から取得する利用権取得部６４と、利用権取得部６４によって取得された利用権情報内の所定の情報であるコンテンツ復号鍵を譲渡先ＩＤ取得部６２によって譲渡元装置から取得された利用者ＩＤとコンテンツＩＤ取得部６３によって譲渡元装置から取得されたコンテンツＩＤとに対応付けて記憶する所定情報記憶手段としての復号鍵記憶部６５と、譲渡先ＩＤ取得部６２によって譲渡先装置から取得された利用者ＩＤとコンテンツＩＤ取得部６３によって譲渡先装置から取得されたコンテンツＩＤとに基づいて復号鍵記憶部６５からコンテンツ復号鍵を取得する所定情報取得手段としての復号鍵取得部６６と、利用権作成部６１によって作成された利用権情報を譲渡先装置に出力する利用権出力部６７とを有しており、ＩＣＣまたは利用機器からなる譲渡元装置から別のＩＣＣまたは利用機器からなる譲渡先装置までの利用権情報の譲渡を制御する譲渡制御装置を構成している。
【００２４】
また、サーバ６０は、利用権取得部６４によって取得された利用権情報内の複製フラグに応じて譲渡元装置から譲渡先装置までの利用権情報の譲渡を制御するようになっている。
【００２５】
また、サーバ６０の復号鍵記憶部６５は、コンテンツ復号鍵を、コンテンツ復号鍵に対応するコンテンツのコンテンツＩＤに関連付けて複数種類記憶している。また、サーバ６０は、利用者ＰＦ内の情報および機器ＰＦ内の情報に基づいて再生条件情報が作成可能である再生条件雛形情報と、利用者ＰＦ内の情報および機器ＰＦ内の情報に基づいて複製条件情報が作成可能である複製条件雛形情報と、利用者ＰＦ内の情報および機器ＰＦ内の情報に基づいて移動条件情報が作成可能である移動条件雛形情報とを、各情報に対応するコンテンツのコンテンツＩＤに関連付けて複数種類記憶している。
【００２６】
なお、コンテンツ再生システム１０は、ＩＣＣ２０と同じ構成を有する複数のＩＣＣや、利用機器４０と同じ構成を有する複数の利用機器を、ＩＣＣ２０および利用機器４０とは別に備えている。例えば、コンテンツ再生システム１０は、ＩＣＣ２０と同じ構成を有するＩＣＣ１２０や、利用機器４０と同じ構成を有する利用機器１４０を備えている。
【００２７】
次に、コンテンツ再生システム１０の動作について説明する。
【００２８】
まず、利用機器がサーバ６０およびＩＣＣと通信可能な状態において、コンテンツの利用権情報がサーバ６０から利用機器のＳＣに出力されるときのコンテンツ再生システム１０の動作について説明する。
【００２９】
サーバ６０が利用機器のＳＣに利用権情報を出力することを利用機器４０が要求すると、サーバ６０の利用権作成部６１は、コンテンツＩＤ取得部６３によって利用機器４０から取得されたコンテンツＩＤと同じコンテンツＩＤに関連付けて記憶していた再生条件雛形情報、複製条件雛形情報、および移動条件雛形情報と、ＩＣＣによって記憶されていた利用者ＰＦと、利用機器４０のＳＣ４２によって記憶されていた機器ＰＦとに基づいて再生条件情報、複製条件情報、および移動条件情報を作成し、作成した再生条件情報、複製条件情報、および移動条件情報と、コンテンツＩＤ取得部６３によって利用機器４０から取得されたコンテンツＩＤと同じコンテンツＩＤに関連付けて復号鍵記憶部６５に記憶していたコンテンツ復号鍵と、コンテンツＩＤ取得部６３によって利用機器４０から取得されたコンテンツＩＤと、利用機器４０によって出力された利用者ＩＤと、譲渡条件情報と、オフ状態の複製フラグとに基づいて利用権情報を作成する。ここで、利用機器４０によって出力された利用者ＩＤは、利用権情報内では利用権所有者ＩＤになる。
【００３０】
そして、サーバ６０によって作成された利用権情報は、サーバ６０によって利用機器４０のＳＣ４２に出力される。なお、サーバ６０によって作成された利用権情報が、サーバ６０から利用機器４０を介してＩＣＣに記憶されるようになっていてもよい。
【００３１】
次に、利用機器４０がＩＣＣと通信可能な状態において、利用機器によってコンテンツが再生されるときのコンテンツ再生システム１０の動作について説明する。なお、利用機器４０によってコンテンツが再生されるとき、利用機器４０がサーバ６０と通信可能な状態になっている必要は無い。
【００３２】
利用機器４０は、コンテンツを再生するとき、ＳＣ４２またはＩＣＣに記憶されている利用権情報のうち再生するコンテンツに対応する利用権情報内の再生条件情報と、ＳＣ４２に記憶されている機器ＰＦと、ＩＣＣに記憶されている利用者ＰＦとに基づいて、コンテンツの再生が可能か否かを判定する。例えば、ＩＣＣ２０から受け取った利用者ＰＦ内の利用者の生年月日から利用者の年齢が“１７歳”であり、ＳＣ４２から受け取った機器ＰＦ内の製造会社のＩＤから利用機器４０の製造会社が“Ａ社”であるとき、再生条件が“利用者が１８歳以上で利用機器の製造会社がＢ社”であるコンテンツや、再生条件が“利用者が１８歳以上で利用機器の製造会社がＡ社”であるコンテンツや、再生条件が“利用者が１５歳以上で利用機器の製造会社がＢ社”であるコンテンツは再生可能判定部４４によって再生が不可能であると判定され、再生条件が“利用者が１５歳以上で利用機器の製造会社がＡ社”であるコンテンツは再生可能判定部４４によって再生が可能であると判定される。
【００３３】
そして、コンテンツの再生が可能であると利用機器４０が判定すると、利用機器４０の再生部４１は、コンテンツを利用権情報内のコンテンツ復号鍵で復号しながら再生する。なお、利用機器４０は、コンテンツの再生が可能か否かを判定するときに、ＩＣＣ２０から受け取った利用者ＰＦおよびＳＣ４２から受け取った機器ＰＦの双方に基づくようになっているが、これに限られるものではない。例えば、再生条件が“コンテンツの再生に制限をかけない”という条件であるとき、利用機器４０は、利用権情報内の再生条件情報のみに基づいてコンテンツの再生が可能であると判断することができる。
【００３４】
次に、利用機器４０がＩＣＣ２０と通信可能な状態において、利用機器４０のＳＣ４２に記憶されている利用権情報がＳＣ４２からＩＣＣ２０に移動されるときのコンテンツ再生システム１０の動作について説明する。なお、利用権情報がＳＣ４２からＩＣＣ２０に移動されるとき、利用機器４０がサーバ６０と通信可能な状態になっている必要は無い。
【００３５】
図４に示すように、制御部４３は、機器ＰＦを出力することをＳＣ４２に要求する（ステップ３３１）。
【００３６】
ＳＣ４２は、機器ＰＦを出力することが制御部４３によって要求されると、記憶している機器ＰＦを制御部４３に出力する（ステップ３３２）。
【００３７】
制御部４３は、機器ＰＦがＳＣ４２によって出力されると、ＳＣ４２によって出力された機器ＰＦを受け取り、機器ＰＦの電子署名を検証した後、利用者ＰＦを出力することをＩＣＣ２０に要求する（ステップ３３３）。
【００３８】
ＩＣＣ２０は、利用者ＰＦを出力することが制御部４３によって要求されると、記憶している利用者ＰＦを利用機器４０の制御部４３に出力する（ステップ３３４）。
【００３９】
制御部４３は、利用者ＰＦがＩＣＣ２０によって出力されると、ＩＣＣ２０によって出力された利用者ＰＦを受け取り、利用者ＰＦの電子署名を検証した後、移動を希望する利用権情報に対応するコンテンツＩＤをＳＣ４２に出力することによって、移動を希望する利用権情報を出力することをＳＣ４２に要求する（ステップ３３５）。
【００４０】
ＳＣ４２は、移動を希望する利用権情報を出力することが制御部４３によって要求されると、記憶している全ての利用権情報から、ステップ３３５で制御部４３によって出力されたコンテンツＩＤに対応する利用権情報を検出した後、検出した利用権情報を複製し、複製した利用権情報を制御部４３に出力する（ステップ３３６）。
【００４１】
制御部４３は、利用権情報がＳＣ４２によって出力されると、ＳＣ４２によって出力された利用権情報を受け取り、受け取った利用権情報の電子署名を検証した後、ＳＣ４２から受け取った利用権情報内の移動条件情報と、ステップ３３２でＳＣ４２によって出力された機器ＰＦと、ステップ３３４でＩＣＣ２０によって出力された利用者ＰＦとに基づいて、利用権情報をＳＣ４２からＩＣＣ２０に移動することが可能か否かを判定する（ステップ３３７）。例えば、ＳＣ４２から受け取った利用権情報内の移動条件情報から移動条件が“利用権情報内の利用権所有者ＩＤと、利用者ＰＦ内の利用者ＩＤとが同一であり、機器ＰＦ内の機器ＩＤが利用者ＰＦ内の所有機器リストに含まれていること。”であるとき、ＳＣ４２から受け取った利用権情報内の移動条件情報内の利用権所有者ＩＤと、ＩＣＣ２０から受け取った利用者ＰＦ内の利用者ＩＤとが同一であり、ＳＣ４２から受け取った機器ＰＦ内の機器ＩＤがＩＣＣ２０から受け取った利用者ＰＦ内の所有機器リストに含まれている場合、制御部４３は、利用権情報をＳＣ４２からＩＣＣ２０に移動することが可能であると判定する。
【００４２】
そして、制御部４３は、利用権情報をＳＣ４２からＩＣＣ２０に移動することが可能であるとステップ３３７で判定したとき、ステップ３３７での判定に使用した利用権情報をＩＣＣ２０に出力する（ステップ３３８）。
【００４３】
ＩＣＣ２０は、利用権情報が制御部４３によって出力されると、制御部４３によって出力された利用権情報を記憶した後、利用権情報の記憶が成功したという結果を利用機器４０の制御部４３に通知する（ステップ３３９）。
【００４４】
制御部４３は、利用権情報の記憶が成功したという結果がＩＣＣ２０によって通知されると、ステップ３３５でＳＣ４２に出力したコンテンツＩＤを再びＳＣ４２に出力することによって、出力するコンテンツＩＤに対応する利用権情報を削除することをＳＣ４２に要求する（ステップ３４０）。
【００４５】
ＳＣ４２は、利用権情報を削除することが制御部４３によって要求されると、記憶している利用権情報から、ステップ３４０で制御部４３によって出力されたコンテンツＩＤに対応する利用権情報を削除した後（ステップ３４１）、利用権情報の削除が成功したという結果を制御部４３に通知する（ステップ３４２）。
【００４６】
なお、ＩＣＣ２０による利用権情報の記憶が失敗したとき、利用権情報の記憶が失敗したという結果がステップ３３９で制御部４３に通知されるので、制御部４３はステップ３４０の処理を行わない。したがって、ＩＣＣ２０による利用権情報の記憶が失敗したとき、ステップ３４１でＳＣ４２から利用権情報が削除されることもない。
【００４７】
また、制御部４３は、利用者ＰＦを出力することのＩＣＣ２０への要求と、機器ＰＦを出力することのＳＣ４２への要求と、利用権情報を出力することのＳＣ４２への要求とを上述した順序以外の順序で行ってもよい。
【００４８】
また、制御部４３は、ＩＣＣ２０から受け取った利用者ＰＦおよびＳＣ４２から受け取った機器ＰＦの双方に基づいて利用権情報をＳＣ４２からＩＣＣ２０に移動することが可能か否かを判定するようになっているが、移動条件によっては、ＩＣＣ２０から受け取った利用者ＰＦおよびＳＣ４２から受け取った機器ＰＦの片方のみに基づいて利用権情報をＳＣ４２からＩＣＣ２０に移動することが可能か否かを判定してもよい。
【００４９】
また、図４に示す処理では、利用権情報がＳＣ４２からＩＣＣ２０に移動されるようになっているが、コンテンツ再生システム１０は、利用権情報がＳＣ４２からＩＣＣ２０以外のＩＣＣに移動される処理や、利用権情報がＩＣＣからＳＣに移動される処理も同様に実行することができる。
【００５０】
次に、利用機器４０がＩＣＣ２０と通信可能な状態において、利用機器４０のＳＣ４２に記憶されている利用権情報がＩＣＣ２０に複製されるときのコンテンツ再生システム１０の動作について説明する。なお、利用権情報がＳＣ４２からＩＣＣ２０に複製されるとき、利用機器４０がサーバ６０と通信可能な状態になっている必要は無い。
【００５１】
図５に示すように、制御部４３は、機器ＰＦを出力することをＳＣ４２に要求する（ステップ３６１）。
【００５２】
ＳＣ４２は、機器ＰＦを出力することが制御部４３によって要求されると、記憶している機器ＰＦを制御部４３に出力する（ステップ３６２）。
【００５３】
制御部４３は、機器ＰＦがＳＣ４２によって出力されると、ＳＣ４２によって出力された機器ＰＦを受け取り、機器ＰＦの電子署名を検証した後、利用者ＰＦを出力することをＩＣＣ２０に要求する（ステップ３６３）。
【００５４】
ＩＣＣ２０は、利用者ＰＦを出力することが制御部４３によって要求されると、記憶している利用者ＰＦを利用機器４０の制御部４３に出力する（ステップ３６４）。
【００５５】
制御部４３は、利用者ＰＦがＩＣＣ２０によって出力されると、ＩＣＣ２０によって出力された利用者ＰＦを受け取り、利用者ＰＦの電子署名を検証した後、複製を希望する利用権情報に対応するコンテンツＩＤをＳＣ４２に出力することによって、複製を希望する利用権情報を出力することをＳＣ４２に要求する（ステップ３６５）。
【００５６】
ＳＣ４２は、複製を希望する利用権情報を出力することが制御部４３によって要求されると、記憶している全ての利用権情報から、ステップ３６５で制御部４３によって出力されたコンテンツＩＤに対応する利用権情報を検出した後、検出した利用権情報の複製フラグをオン状態に変更する（ステップ３６６）。
【００５７】
そして、ＳＣ４２は、ステップ３６６で複製フラグをオン状態に変更した利用権情報を複製し、複製した利用権情報を制御部４３に出力する（ステップ３６７）。
【００５８】
制御部４３は、利用権情報がＳＣ４２によって出力されると、ＳＣ４２によって出力された利用権情報を受け取り、受け取った利用権情報の電子署名を検証した後、ＳＣ４２から受け取った利用権情報内の複製条件情報と、ステップ３６２でＳＣ４２によって出力された機器ＰＦと、ステップ３６４でＩＣＣ２０によって出力された利用者ＰＦとに基づいて、利用権情報をＳＣ４２からＩＣＣ２０に複製することが可能か否かを判定する（ステップ３６８）。例えば、ＳＣ４２から受け取った利用権情報内の複製条件情報から複製条件が“利用権情報内の利用権所有者ＩＤと、利用者ＰＦ内の利用者ＩＤとが同一であり、機器ＰＦ内の機器ＩＤが利用者ＰＦ内の所有機器リストに含まれていること。”であるとき、ＳＣ４２から受け取った利用権情報内の複製条件情報内の利用権所有者ＩＤと、ＩＣＣ２０から受け取った利用者ＰＦ内の利用者ＩＤとが同一であり、ＳＣ４２から受け取った機器ＰＦ内の機器ＩＤがＩＣＣ２０から受け取った利用者ＰＦ内の所有機器リストに含まれている場合、制御部４３は、利用権情報をＳＣ４２からＩＣＣ２０に複製することが可能であると判定する。
【００５９】
そして、制御部４３は、利用権情報をＳＣ４２からＩＣＣ２０に複製することが可能であるとステップ３６８で判定したとき、ステップ３６８での判定に使用した利用権情報をＩＣＣ２０に出力する（ステップ３６９）。
【００６０】
ＩＣＣ２０は、利用権情報が制御部４３によって出力されると、制御部４３によって出力された利用権情報を記憶した後、利用権情報の記憶が成功したという結果を利用機器４０の制御部４３に通知する（ステップ３７０）。
【００６１】
なお、制御部４３は、利用権情報をＳＣ４２からＩＣＣ２０に複製することが不可能であるとステップ３６８で判定したとき、ステップ３６８での判定に使用した利用権情報をＩＣＣ２０に出力せず、ＳＣ４２上の利用権情報の複製フラグをステップ３６６での変更前の状態に戻すことをＳＣ４２に要求する。したがって、利用権情報をＳＣ４２からＩＣＣ２０に複製することが不可能であるとステップ３６８で制御部４３が判定したとき、ステップ３６６で複製フラグがオン状態に変更されたＳＣ４２上の利用権情報の複製フラグは、ステップ３６６での変更前の状態もオン状態であった場合にはオン状態のまま維持され、ステップ３６６での変更前の状態がオフ状態であった場合にはオフ状態に変更される。
【００６２】
また、制御部４３は、利用者ＰＦを出力することのＩＣＣ２０への要求と、機器ＰＦを出力することのＳＣ４２への要求と、利用権情報を出力することのＳＣ４２への要求とを上述した順序以外の順序で行ってもよい。
【００６３】
また、制御部４３は、ＩＣＣ２０から受け取った利用者ＰＦおよびＳＣ４２から受け取った機器ＰＦの双方に基づいて利用権情報をＳＣ４２からＩＣＣ２０に複製することが可能か否かを判定するようになっているが、複製条件によっては、ＩＣＣ２０から受け取った利用者ＰＦおよびＳＣ４２から受け取った機器ＰＦの片方のみに基づいて利用権情報をＳＣ４２からＩＣＣ２０に複製することが可能か否かを判定してもよい。
【００６４】
また、図５に示す処理では、利用権情報がＳＣ４２からＩＣＣ２０に複製されるようになっているが、コンテンツ再生システム１０は、利用権情報がＳＣ４２からＩＣＣ２０以外のＩＣＣに複製される処理や、利用権情報がＩＣＣからＳＣに複製される処理も同様に実行することができる。
【００６５】
次に、利用機器４０のＳＣ４２から利用機器１４０のＳＣ１４２に利用権情報が譲渡されるときのコンテンツ再生システム１０の動作について説明する。ここで、ＩＣＣ１２０は、ＩＣＣ２０の所有者とは異なる所有者によって所有されているものとする。
【００６６】
まず、譲渡元装置である利用機器４０がサーバ６０およびＩＣＣ２０と通信可能な状態において、利用機器４０のＳＣ４２からサーバ６０に利用権情報が移動されるときのコンテンツ再生システム１０の動作について説明する。
【００６７】
図６に示すように、利用機器４０の制御部４３は、譲渡を希望する利用権情報に対応するコンテンツＩＤと、利用機器１４０の利用者から口頭や電子メール等によって利用機器４０の利用者に伝えられるなどして利用機器４０に入力された利用機器１４０の利用者の利用者ＩＤ（以下「譲渡先ＩＤ」という。）とをサーバ６０に出力することによって、利用権情報をＳＣ４２から利用機器１４０のＳＣ１４２に譲渡することをサーバ６０に要求する（ステップ４０１）。
【００６８】
サーバ６０は、利用権情報をＳＣ４２から利用機器１４０のＳＣ１４２に譲渡することが制御部４３によって要求されると、ステップ４０１で利用機器４０によって出力された譲渡先ＩＤ、コンテンツＩＤをそれぞれ譲渡先ＩＤ取得部６２、コンテンツＩＤ取得部６３によって取得した後、会員証情報を出力することを利用機器４０の制御部４３を介してＩＣＣ２０に要求する（ステップ４０２）。
【００６９】
ＩＣＣ２０は、会員証情報を出力することがサーバ６０によって要求されると、記憶している会員証情報を利用機器４０の制御部４３を介してサーバ６０に出力する（ステップ４０３）。
【００７０】
サーバ６０は、会員証情報がＩＣＣ２０によって出力されると、ＩＣＣ２０によって出力された会員証情報を受け取った後、受け取った会員証情報の電子署名を検証することによって認証を行う（ステップ４０４）。
【００７１】
そして、サーバ６０は、ステップ４０４での認証が成功すると、ステップ４０１で利用機器４０の制御部４３によって出力された譲渡先ＩＤを記憶する（ステップ４０５）。
【００７２】
次いで、サーバ６０は、ステップ４０１で制御部４３によって出力されたコンテンツＩＤを利用機器４０の制御部４３を介して利用機器４０のＳＣ４２に出力することによって、出力するコンテンツＩＤに対応する利用権情報を出力することを利用機器４０のＳＣ４２に要求する（ステップ４０６）。
【００７３】
ＳＣ４２は、利用権情報を出力することがサーバ６０によって要求されると、記憶している全ての利用権情報を検索して、ステップ４０６でサーバ６０によって出力されたコンテンツＩＤに対応する利用権情報を取得した後、取得した利用権情報を制御部４３を介してサーバ６０に出力する（ステップ４０７）。
【００７４】
サーバ６０は、利用権情報がＳＣ４２によって出力されると、ＳＣ４２によって出力された利用権情報を利用権取得部６４によって受け取り、受け取った利用権情報の電子署名を検証した後、ＳＣ４２から受け取った利用権情報内の譲渡条件情報に基づいて、利用権情報の譲渡が可能か否かを判定する（ステップ４０８）。
【００７５】
そして、サーバ６０は、利用権情報の譲渡が可能であるとステップ４０８で判定したとき、ステップ４０８での判定に使用した利用権情報の複製フラグを確認する（ステップ４０９）。なお、サーバ６０は、利用権情報の譲渡が不可能であるとステップ４０８で判定したとき、図６に示す処理を中止する。
【００７６】
サーバ６０は、利用権情報の複製フラグがオフ状態であるとステップ４０９で確認したとき、ステップ４０８での判定に使用した利用権情報内からコンテンツ復号鍵を取得し、取得したコンテンツ復号鍵を、ステップ４０１で制御部４３によって出力された譲渡先ＩＤおよびコンテンツＩＤに関連付けて復号鍵記憶部６５によって記憶する（ステップ４１０）。なお、サーバ６０は、利用権情報の複製フラグがオン状態であるとステップ４０９で確認したとき、図６に示す処理を中止する。
【００７７】
サーバ６０は、ステップ４１０でコンテンツ復号鍵を記憶すると、ステップ４０６でＳＣ４２に出力したコンテンツＩＤを利用機器４０の制御部４３を介して再び利用機器４０のＳＣ４２に出力することによって、出力するコンテンツＩＤに対応する利用権情報を削除することを利用機器４０のＳＣ４２に要求する（ステップ４１１）。
【００７８】
ＳＣ４２は、利用権情報を削除することがサーバ６０によって要求されると、記憶している利用権情報から、ステップ４１１でサーバ６０によって出力されたコンテンツＩＤに対応する利用権情報を削除した後（ステップ４１２）、利用権情報の削除が成功したという結果を制御部４３を介してサーバ６０に通知する（ステップ４１３）。
【００７９】
サーバ６０は、利用権情報の削除が成功したという結果がＳＣ４２によって通知されると、ＳＣ４２から利用権情報を譲り受けることが成功したという結果を利用機器４０の制御部４３に通知する（ステップ４１４）。
【００８０】
なお、図６に示す処理では、利用権情報が利用機器４０のＳＣ４２からサーバ６０に出力されるようになっているが、コンテンツ再生システム１０は、利用権情報がＩＣＣ２０からサーバ６０に出力される処理も同様に実行することができる。
【００８１】
次に、譲渡先装置である利用機器１４０がサーバ６０およびＩＣＣ１２０と通信可能な状態において、サーバ６０から利用機器１４０のＳＣ１４２に利用権情報が移動されるときのコンテンツ再生システム１０の動作について説明する。
【００８２】
図７に示すように、利用機器１４０の制御部１４３は、利用機器４０のＳＣ４２から利用権情報を譲り受けたサーバ６０から電子メール等によって利用機器１４０の利用者に伝えられるなどして利用機器１４０に入力されたコンテンツＩＤをサーバ６０に出力することによって、利用機器１４０の利用者がサーバ６０から利用権情報を譲り受けることが可能であるか否かの確認をサーバ６０に要求する（ステップ４３１）。
【００８３】
サーバ６０は、ＳＣ１４２に利用権情報を譲り受けることが可能であるか否かの確認が制御部１４３によって要求されると、ステップ４３１で利用機器１４０によって出力されたコンテンツＩＤをコンテンツＩＤ取得部６３によって取得した後、会員証情報を出力することを利用機器１４０の制御部１４３を介してＩＣＣ１２０に要求する（ステップ４３２）。
【００８４】
ＩＣＣ１２０は、会員証情報を出力することがサーバ６０によって要求されると、記憶している会員証情報を利用機器１４０の制御部１４３を介してサーバ６０に出力する（ステップ４３３）。
【００８５】
サーバ６０は、会員証情報がＩＣＣ１２０によって出力されると、ＩＣＣ１２０によって出力された会員証情報を受け取った後、受け取った会員証情報の電子署名を検証することによって認証を行う（ステップ４３４）。
【００８６】
そして、サーバ６０は、ステップ４３４での認証が成功すると、利用者ＰＦを出力することを利用機器１４０の制御部１４３を介してＩＣＣ１２０に要求する（ステップ４３５）。
【００８７】
ＩＣＣ１２０は、利用者ＰＦを出力することがサーバ６０によって要求されると、記憶している利用者ＰＦを利用機器１４０の制御部１４３を介してサーバ６０に出力する（ステップ４３６）。
【００８８】
サーバ６０は、利用者ＰＦがＩＣＣ１２０によって出力されると、ＩＣＣ１２０によって出力された利用者ＰＦを譲渡先ＩＤ取得部６２によって受け取り、利用者ＰＦの電子署名を検証した後、機器ＰＦを出力することを利用機器１４０の制御部１４３を介して利用機器１４０のＳＣ１４２に要求する（ステップ４３７）。
【００８９】
ＳＣ１４２は、機器ＰＦを出力することがサーバ６０によって要求されると、記憶している機器ＰＦを利用機器１４０の制御部１４３を介してサーバ６０に出力する（ステップ４３８）。
【００９０】
サーバ６０は、機器ＰＦがＳＣ１４２によって出力されると、ＳＣ１４２によって出力された機器ＰＦを受け取り、機器ＰＦの電子署名を検証した後、ＩＣＣ１２０によってステップ４３６で出力された利用者ＰＦ内の利用者ＩＤを制御部１４３に出力することによって、利用機器１４０の利用者がサーバ６０から利用権情報を譲り受けることが可能であるという結果を利用機器１４０の制御部１４３に通知する（ステップ４３９）。
【００９１】
なお、サーバ６０は、ステップ４３４での認証が失敗したとき、利用機器１４０の利用者がサーバ６０から利用権情報を譲り受けることが不可能であるという結果を利用機器１４０の制御部１４３に通知する。したがって、利用機器１４０の制御部１４３は、ステップ４３４でのサーバ６０による認証が失敗したとき、図７に示す処理を中止する。
【００９２】
制御部１４３は、利用機器１４０の利用者がサーバ６０から利用権情報を譲り受けることが可能であるという結果をサーバ６０から受け取ると、ステップ４３１で出力したコンテンツＩＤと、ステップ４３９でサーバ６０によって出力された利用者ＩＤとをサーバ６０に出力することによって、コンテンツの利用権情報をＳＣ１４２に出力することをサーバ６０に要求する（ステップ４４０）。
【００９３】
サーバ６０は、コンテンツの利用権情報をＳＣ１４２に出力することが制御部１４３によって要求されると、ステップ４１０（図６参照）で記憶したコンテンツ復号鍵から、ステップ４４０で制御部１４３によって出力されたコンテンツＩＤおよび利用者ＩＤと同じコンテンツＩＤおよび譲渡先ＩＤに関連付けられたコンテンツ復号鍵を復号鍵取得部６６によって取得する（ステップ４４１）。
【００９４】
また、サーバ６０は、記憶している再生条件雛形情報、複製条件雛形情報、および移動条件雛形情報から、ステップ４４０で制御部１４３によって出力されたコンテンツＩＤと同じコンテンツＩＤに関連付けられている再生条件雛形情報、複製条件雛形情報、および移動条件雛形情報を取得する（ステップ４４２）。
【００９５】
そして、サーバ６０の利用権作成部６１は、ステップ４３６でＩＣＣ１２０によって出力された利用者ＰＦと、ステップ４３８でＳＣ１４２によって出力された機器ＰＦと、ステップ４４２で取得した再生条件雛形情報、複製条件雛形情報、および移動条件雛形情報とに基づいて再生条件情報、複製条件情報、および移動条件情報を作成し、作成した再生条件情報、複製条件情報、および移動条件情報と、ステップ４４０で制御部１４３によって出力されたコンテンツＩＤと、ステップ４４０で制御部１４３によって出力された利用者ＩＤと、ステップ４４１で取得したコンテンツ復号鍵と、譲渡可能および譲渡不可能の何れかの譲渡条件情報と、オフ状態の複製フラグとに基づいて利用権情報を作成する（ステップ４４３）。ここで、ステップ４４３で制御部４３によって出力された利用者ＩＤは、利用権情報内では利用権所有者ＩＤになる。
【００９６】
次いで、サーバ６０は、ステップ４４３で作成した利用権情報を利用権出力部６７によって利用機器１４０の制御部１４３を介して利用機器１４０のＳＣ１４２に出力する（ステップ４４４）。
【００９７】
ＳＣ１４２は、利用権情報がサーバ６０によって出力されると、サーバ６０によって出力された利用権情報を記憶した後、利用権情報の記憶が成功したという結果を制御部１４３を介してサーバ６０に通知する（ステップ４４５）。
【００９８】
サーバ６０は、利用権情報の記憶が成功したという結果がＳＣ１４２によって通知されると、ＳＣ１４２による利用権情報の記憶が成功したという結果を利用機器１４０の制御部１４３に通知する（ステップ４４６）。
【００９９】
なお、サーバ６０は、会員証情報を出力することのＩＣＣ１２０への要求と、利用者ＰＦを出力することのＩＣＣ１２０への要求と、機器ＰＦを出力することのＳＣ１４２への要求とを上述した順序以外の順序で行ってもよい。
【０１００】
また、サーバ６０は、コンテンツ復号鍵の取得と、再生条件雛形情報、複製条件雛形情報、および移動条件雛形情報の取得とを上述した順序以外の順序で行ってもよい。
【０１０１】
また、図７に示す処理では、利用権情報がサーバ６０から利用機器１４０のＳＣ１４２に出力されるようになっているが、コンテンツ再生システム１０は、利用権情報がサーバ６０からＩＣＣ１２０に出力される処理も同様に実行することができる。
【０１０２】
以上に説明したように、コンテンツ再生システム１０は、移動条件情報に基づいて利用権情報を移動させるので、移動条件情報に基づいた特定のＩＣＣまたは利用機器のみに利用権情報を流通させることができる。
【０１０３】
また、コンテンツ再生システム１０は、複製条件情報に基づいて利用権情報を複製するので、複製条件情報に基づいた特定のＩＣＣまたは利用機器のみに利用権情報を流通させることができる。
【０１０４】
また、コンテンツ再生システム１０は、譲渡先ＩＤ取得部６２によって譲渡先ＩＤが取得された譲渡先のＩＣＣまたは利用機器のみに利用権情報を譲渡するので、譲渡先ＩＤ取得部６２によって譲渡先ＩＤが取得された特定の譲渡先のＩＣＣまたは利用機器のみに利用権情報を流通させることができる。
【０１０５】
また、コンテンツ再生システム１０は、利用権情報内の複製フラグに応じてサーバ６０が利用権情報の譲渡を制御するようになっているので、利用権情報の複製が存在するときに利用権情報が譲渡されることを防止することができる。
【０１０６】
また、コンテンツ再生システム１０は、利用機器に内蔵または外付けのＩＣＣリーダ・ライタを介して利用機器およびＩＣＣが互いに通信可能になっているが、利用機器およびＩＣＣがインターネットなどの通信路を介して互いに通信可能になっていてもよい。
【０１０７】
また、コンテンツ再生システム１０は、携帯装置としてＩＣＣを備えているが、ＩＣＣ以外の携帯装置を備えていてもよい。例えば、コンテンツ再生システム１０は、携帯装置として携帯電話を備えていてもよい。
【０１０８】
また、本実施の形態においては、利用権流通システムとして、コンテンツの再生というサービスを実行するコンテンツ再生システム１０について説明したが、利用権流通システムは、コンテンツの再生以外のサービスを実行するものでもよい。例えば、利用権流通システムは、サービス実行装置内にあるコンテンツ以外の情報の利用というサービスを実行するものでもよいし、サービス実行装置自体の利用というサービスを実行するものでもよい。
【０１０９】
利用権流通システムがサービス実行装置内にあるコンテンツ以外の情報の利用というサービスを実行するものとしては、例えば、サービス実行装置としての自宅のパーソナルコンピュータ（以下「自宅ＰＣ」という。）に外出先からネットワークを介して自宅ＰＣの所有者（利用者）がアクセス可能であり、利用権情報を記憶した携帯装置としてのＩＣＣを自宅ＰＣの所有者が携帯しているという状況下で、自宅ＰＣ内のファイルの利用というサービスをＩＣＣ内の利用権情報を用いて自宅ＰＣの所有者が外出先からネットワークを介して実行するものや、サービス実行装置としてのメンテナンス対象機器にネットワークを介してメンテナンス業者（利用者）がアクセス可能であり、利用権情報を記憶した携帯装置としてのＩＣＣをメンテナンス業者が携帯しているという状況下で、メンテナンス対象機器内のメンテナンス情報の利用というサービスをＩＣＣ内の利用権情報を用いてメンテナンス業者がネットワークを介して実行するものなどがある。
【０１１０】
また、利用権流通システムがサービス実行装置自体の利用というサービスを実行するものとしては、例えば、利用権情報を記憶した携帯装置としてのＩＣＣをサービス実行装置としての自宅ＰＣの所有者（利用者）が携帯しているという状況下で、自宅ＰＣ自体へのアクセスというサービスをＩＣＣ内の利用権情報を用いて自宅ＰＣの所有者が外出先からネットワークを介して実行するものや、利用権情報を記憶した携帯装置としてのＩＣＣをメンテナンス業者（利用者）が携帯しているという状況下で、サービス実行装置としてのメンテナンス対象機器自体へのアクセスというサービスをＩＣＣ内の利用権情報を用いてメンテナンス業者がネットワークを介して実行するものや、訪問客（利用者）が携帯している携帯装置としての携帯電話に訪問先のオフィスの窓口で利用権情報が付与されたという状況下で、サービス実行装置としてのオフィスの出入口ゲート自体の開閉というサービスや、サービス実行装置としての複写機や印刷機などのオフィス機器自体の利用というサービスや、サービス実行装置としてのオフィス内のＬＡＮ（Ｌｏｃａｌ  Ａｒｅａ  Ｎｅｔｗｏｒｋ）自体へのアクセスというサービスを携帯電話内の利用権情報を用いて訪問客が実行するものなどがある。
【０１１１】
なお、利用機器４０、１４０、およびサーバ６０の機能は専用のハードウェアにより実現されるもの以外に、その機能を実現するためのプログラムを、コンピュータ読み取り可能な記録媒体に記録して、この記録媒体に記録されたプログラムをコンピュータシステムに読み込ませ、実行するものであってもよい。コンピュータ読み取り可能な記録媒体とは、フロッピーディスク、光磁気ディスク、ＣＤ−ＲＯＭ等の記録媒体、コンピュータシステムに内蔵されるハードディスク装置等の記憶装置を指す。さらに、コンピュータ読み取り可能な記録媒体は、インターネットを介してプログラムを送信する場合のように、短時間の間、動的にプログラムを保持するもの（伝送媒体もしくは伝送波）、その場合のサーバとなるコンピュータシステム内部の揮発性メモリのように、一定時間プログラムを保持しているものも含む。
【図面の簡単な説明】
【０１１２】
【図１】本発明の一実施の形態によるコンテンツ再生システムのブロック図である。
【図２】図１に示すコンテンツ再生システムの利用機器のブロック図である。
【図３】図１に示すコンテンツ再生システムのサーバのブロック図である。
【図４】利用権情報がＳＣからＩＣＣに移動されるときの図１に示すコンテンツ再生システムの動作のシーケンス図である。
【図５】利用権情報がＳＣからＩＣＣに複製されるときの図１に示すコンテンツ再生システムの動作のシーケンス図である。
【図６】譲渡元の利用機器からサーバに利用権情報が移動されるときの図１に示すコンテンツ再生システムの動作のシーケンス図である。
【図７】サーバから譲渡先の利用機器に利用権情報が移動されるときの図１に示すコンテンツ再生システムの動作のシーケンス図である。
【符号の説明】
【０１１３】
１０    コンテンツ再生システム（利用権流通システム）
２０、１２０    ＩＣＣ（携帯装置、利用者属性記憶手段、利用権記憶手段、譲渡元装置、譲渡先装置）
４０、１４０    利用機器（サービス実行装置、利用権移動装置、利用権複製装置、譲渡元装置、譲渡先装置）
４１    再生部（サービス実行手段）
４２、１４２    ＳＣ（装置属性記憶手段、利用権記憶手段）
４３、１４３    制御部（利用権移動手段、利用権複製手段）
６０    サーバ（譲渡制御装置）
６１    利用権作成部
６２    譲渡先ＩＤ取得部（譲渡先情報取得手段）
６３    コンテンツＩＤ取得部（サービス情報取得手段）
６４    利用権取得部
６５    復号鍵記憶部（所定情報記憶手段）
６６    復号鍵取得部（所定情報取得手段）
６７    利用権出力部
【図１】
2005222363.tif 000003
【図２】
2005222363.tif 000004
【図３】
2005222363.tif 000005
【図４】
2005222363.tif 000006
【図５】
2005222363.tif 000007
【図６】
2005222363.tif 000008
【図７】
2005222363.tif 000009